(57)【特許請求の範囲】
【請求項１】
主ロープに連結されて、上記主ロープの走行に連動して昇降路内を昇降するつり合いおもりの下部に、高さ方向に複数を連結可能に取り付けられ、上記つり合いおもりの下方に設けられた緩衝器との間の距離を調整するつり合いおもり用スペーサであって、
基部と、
上記基部の長手方向の両端から長手方向に垂直な方向に延出される取付片と
を備え、
上記取付片には、吊り下げロープが連結されるロープ固定具を取り付けるための第１挿通部が表裏両面を連通するように形成され、
上記取付片には、上記吊り下げロープを通すための第２挿通部が表裏両面を連通するように形成されていることを特徴とするつり合いおもり用スペーサ。
【請求項２】
上記第１挿通部が上記第２挿通部を兼ねることを特徴とする請求項１に記載のつり合いおもり用スペーサ。
【請求項３】
上記第１挿通部及び上記第２挿通部は、上記取付片の縁部に開口し、上記吊り下げロープを挿通可能な幅の切り欠きであることを特徴とする請求項１または請求項２に記載のつり合いおもり用スペーサ。
【請求項４】
上記切り欠きは、上記取付片の縁部に開口し、上記吊り下げロープを摺接させつつ底部に向けてスライド可能な幅を有する第１切り欠き部と、上記第１切り欠き部の底部側から延在して、上記吊り下げロープを遊嵌状態に挿通可能の幅を有する第２切り欠き部とを備えていることを特徴とする請求項３に記載のつり合いおもり用スペーサ。
【請求項５】
上記第２挿通部を兼ねる上記第１挿通部は、上記基部の長手方向から見て互いの間に上記基部が配置される位置に一対設けられていることを特徴とする請求項２乃至請求項４のいずれか１項に記載のつり合いおもり用スペーサ。
【請求項６】
主ロープと、上記主ロープに連結され、上記主ロープの走行に連動して昇降路内を昇降するつり合いおもりと、上記つり合いおもりの下方に設けられた緩衝器と、基部、及び上記基部の長手方向の両端から長手方向に垂直な方向に延出され、表裏両面を連通する第１挿通部が形成された取付片を有し、上記緩衝器との間の距離を調整するのに、高さ方向に複数を連結可能に上記つり合いおもりの下部に取り付けられるつり合いおもり用スペーサとを備えるエレベータに設け、上記つり合いおもり用スペーサを、上記つり合いおもりに取り付けるのを補助するつり合いおもり用スペーサ取り付け装置であって、
吊り下げロープと、
上記つり合いおもりに固定され、上記吊り下げロープが掛けられる掛け部を有するロープ吊り具と、
上記取付片に上記第１挿通部を介して着脱自在に設けられ、上記吊り下げロープが連結されるロープ固定具と
を備え、
上記取付片には、表裏両面を連通し、上記吊り下げロープを通すための第２挿通部が形成されており、
上記吊り下げロープは、上記第２挿通部に挿通可能であることを特徴とするつり合いおもり用スペーサ取り付け装置。
【請求項７】
上記第１挿通部が上記第２挿通部を兼ねており、
上記つり合いおもり用スペーサの一対の上記取付片のうちの一方に形成された上記第１挿通部に挿通した上記吊り下げロープを、他方の上記取付片に取り付けた上記ロープ固定具に連結することが可能に構成されていることを特徴とする請求項６に記載のつり合いおもり用スペーサ取り付け装置。
【請求項８】
上記第１挿通部は、上記取付片の縁部に開口する切り欠きであり、
上記吊り下げロープは、上記切り欠きの開口側から上記切り欠きに挿入可能であることを特徴とする請求項７に記載のつり合いおもり用スペーサ取り付け装置。
【請求項９】
上記第２挿通部を兼ねる上記第１挿通部が、上記基部の長手方向から見て、互いの間に上記基部が配置されるように、各上記取付片に一対形成されており、
上記つり合いおもり用スペーサの一対の上記取付片のうちの一方に形成された一対の上記第１挿通部に挿通した一対の上記吊り下げロープを、他方の上記取付片に取り付けた一対の上記ロープ固定具に連結することが可能に構成されていることを特徴とする請求項７または請求項８に記載のつり合いおもり用スペーサ取り付け装置。
【請求項１０】
上記請求項６に記載のつり合いおもり用スペーサ取り付け装置を用いて上記つり合いおもり用スペーサを上記つり合いおもりに取り付けるためのつり合いおもり用スペーサの取り付け方法であって、
上記ロープ吊り具を上記つり合いおもりに固定する工程と、
上記ロープ固定具を上記つり合いおもり用スペーサの一対の上記取付片のいずれかに、上記第１挿通部を介して取り付ける工程と、
上記ロープ固定具に所定部を固定される上記吊り下げロープを上記ロープ吊り具の上記掛け部に掛けて下方に引き出す工程と、
上記掛け部から引き出した上記ロープの部位を引っ張って、上記つり合いおもり用スペーサを、所定の取り付け位置まで引き上げる工程と、
上記つり合いおもり用スペーサを、先に上記つり合いおもりに取り付けられている上記つり合いおもり用スペーサに連結固定する工程と
を備えていることを特徴とするつり合いおもり用スペーサの取り付け方法。
【請求項１１】
上記請求項６に記載のつり合いおもり用スペーサ取り付け装置を用いて上記つり合いおもり用スペーサを上記つり合いおもりに取り付けるためのつり合いおもり用スペーサの取り付け方法であって、
上記つり合いおもり用スペーサの取り付け位置とは異なる上記つり合いおもりの部位に上記ロープ吊り具を固定する工程と、
上記ロープ固定具を上記つり合いおもり用スペーサの一対の上記取付片のいずれかに、上記第１挿通部を介して取り付ける工程と、
上記ロープ固定具に所定部を固定される上記吊り下げロープを上記ロープ吊り具の上記掛け部に掛けて下方に引き出す工程と、
上記掛け部から引き出した上記ロープの部位を引っ張って、上記つり合いおもり用スペーサを、所定の取り付け位置まで引き上げる工程と、
上記つり合いおもり用スペーサを、上記つり合いおもりに連結固定する工程と
を備えていることを特徴とするつり合いおもり用スペーサの取り付け方法。
【請求項１２】
請求項６乃至請求項９に記載のつり合いおもり用スペーサ取り付け装置を用いて上記つり合いおもり用スペーサを上記つり合いおもりに取り付けるためのつり合いおもり用スペーサの取り付け方法であって、
上記ロープ吊り具を上記つり合いおもりに固定する工程と、
上記ロープ固定具を上記つり合いおもり用スペーサの一対の上記取付片のいずれかに、上記第１挿通部を介して取り付ける工程と、
上記ロープ固定具に所定部を固定される上記吊り下げロープを上記ロープ吊り具の上記掛け部に掛けて下方に引き出す工程と、
上記ロープ固定具が取り付けられた上記取付片と相対する上記取付片に形成された上記第２挿通部に、上記吊り下げロープを挿通させる工程と、
上記掛け部から引き出した上記ロープの部位を引っ張って、上記つり合いおもり用スペーサを、所定の取り付け位置まで引き上げる工程と、
上記つり合いおもり用スペーサを、上記つり合いおもり、または先に上記つり合いおもりに取り付けられている上記つり合いおもり用スペーサに連結固定する工程と
を有することを特徴とするつり合いおもり用スペーサの取り付け方法。
【発明の詳細な説明】
【技術分野】
【０００１】
この発明は、つり合いおもりに取り付けられ、つり合いおもりの下方に設けられる緩衝器との間の距離を調整するつり合いおもり用スペーサ、つり合いおもり用スペーサの着脱に用いられるつり合いおもり用スペーサ取り付け装置、及びつり合いおもり用スペーサ取り付け装置を用いたつり合いおもり用スペーサの取り付け方法を得ることを目的とする。
【背景技術】
【０００２】
従来のエレベータは、昇降路を互いに相反する方向に移動するように主ロープを介して連結されるかご及びつり合いおもりと、つり合いおもりの下方に設けられる緩衝器との間の間隔調整用として、複数を連結可能につり合いおもりの下部に取り付けられるつり合いおもり用スペーサとを備えている（例えば、特許文献１参照）。
【先行技術文献】
【特許文献】
【０００３】
【特許文献１】特開平７−２６７５３７号公報
【発明の概要】
【発明が解決しようとする課題】
【０００４】
しかしながら、従来のエレベータでは、主ロープの伸びに伴うものなど、何らかの原因により、最も下端に位置するつり合いおもり用スペーサと緩衝器との間の間隔であるランバイ寸法が変化する。ランバイ寸法は、基準範囲内に設定しておく必要があるので、ランバイ寸法が基準範囲外になったときには、つり合いおもり用スペーサの数を増減する作業が必要となる。
【０００５】
作業者は、例えば、つり合いおもり用スペーサを追加で取り付ける際、既に、つり合いおもり下部に取り付けられているつり合いおもりのうち、最も下端に位置するつり合いおもりの位置まで、取り付けるつり合いおもり用スペーサを直接把持して持ち上げていた。
つり合いおもり用スペーサは、重量が大きく、作業者は、つり合いおもり用スペーサを持ち上げるのに多大な労力を費やさなければならなかった。
【０００６】
この発明は上記の課題を解決するためになされたものであり、つり合いおもりに支持した吊り下げロープに吊り下げ可能に形状を工夫することで、つり合いおもりへの着脱時に、高さ方向に移動させる際の労力を軽減できるつり合いおもり用スペーサ、つり合いおもり用スペーサの着脱時に用いられるつり合いおもり用スペーサ取り付け装置、及びつり合いおもり用スペーサ取り付け装置を用いたつり合いおもり用スペーサの取り付け方法を得ることを目的とする。
【課題を解決するための手段】
【０００７】
この発明に係るつり合いおもり用スペーサは、主ロープに連結されて、主ロープの走行に連動して昇降路内を昇降するつり合いおもりの下部に、高さ方向に複数を連結可能に取り付けられ、つり合いおもりの下方に設けられた緩衝器との間の距離を調整するつり合いおもり用スペーサであって、基部と、基部の長手方向の両端から長手方向に垂直な方向に延出される取付片とを備え、取付片には、吊り下げロープが連結されるロープ固定具を取り付けるための第１挿通部が表裏両面を連通するように形成されている。
【発明の効果】
【０００８】
この発明に係るつり合いおもり用スペーサは、取付片には、吊り下げロープが連結されるロープ固定具を取り付けるための第１挿通部を有している。ロープ固定具をつり合いおもり用スペーサに取り付け、ロープ固定具から延在する吊り下げロープを、例えば、つり合いおもりに固定されたロープ吊り具に掛けた後、下方に引き出し、引き出した吊り下げロープを引っ張ることで、つり合いおもり用スペーサを引き上げることが可能になる。
即ち、例えば、作業者は、つり合いおもり用スペーサを、高さ方向に移動する場合、自身の体重を吊り下げロープにかけて引っ張り、つり合いおもり用スペーサを引き上げることで、つり合いおもり用スペーサの取り付け作業にかかる労力を著しく軽減できる。
【図面の簡単な説明】
【０００９】
【図１】この発明の実施の形態１に係るつり合いおもり用スペーサを有するエレベータの模式図である。
【図２】図１のＡ方向から見た要部拡大図である。
【図３】この発明の実施の形態１に係るつり合いおもり用スペーサの上面図である。
【図４】図３のＢ方向から見た正面図である。
【図５】図３のＣ方向から見た側面図である。
【図６】この発明の実施の形態１に係るつり合いおもり用スペーサ取り付け装置の構成を説明する図である。
【図７】この発明の実施の形態１に係るつり合いおもり用スペーサ取り付け装置を用いて、つり合いおもり用スペーサをつり合いおもりに着脱する方法を示す正面図であり、つり合いおもり用スペーサを引き上げている様子を示している。
【図８】図７のＤ方向から見た側面図である。
【図９】この発明の実施の形態１に係るつり合いおもり用スペーサ取り付け装置を用いて、つり合いおもり用スペーサをつり合いおもりに着脱する方法を示す正面図であり、引き上げたつり合いおもり用スペーサを、先に取り付けたつり合いおもり用スペーサに連結した様子を示している。
【図１０】図９のＥ方向から見た側面図である。
【図１１】この発明の実施の形態２に係るつり合いおもり用スペーサの上面図である。
【図１２】この発明の実施の形態３に係るつり合いおもり用スペーサの上面図である。
【発明を実施するための形態】
【００１０】
以下、この発明を実施するための最良の形態について、図面を参照して説明する。
【００１１】
実施の形態１．
図１はこの発明の実施の形態１に係るつり合いおもり用スペーサを有するエレベータの模式図、図２は図１のＡ方向から見た要部拡大図である。
【００１２】
図１において、エレベータ１は、建物に形成された昇降路２の上部に設置される機械室３と、機械室３に設置され、駆動綱車５及び駆動綱車５に回転トルクを付与する電動機６を有する巻上機４と、機械室３に設置されたそらせ車７とを備えている。
【００１３】
また、エレベータ１は、そらせ車７及び駆動綱車５に巻きかけられ、一端側及び他端側が昇降路２内に垂下された主ロープ８と、主ロープ８の一端に連結されるかご９と、主ロープ８の他端に連結されるつり合いおもり１０と、つり合いおもり１０の下方に位置する昇降路２のピットの部位に設けられる緩衝器１１と、ランバイ寸法を調整するのに、高さ方向に複数連結可能につり合いおもり１０の下部に取り付けられるつり合いおもり用スペーサ２０と、各階に設けられ、かご９が着床する乗場１２とを備えている。
【００１４】
かご９及びつり合いおもり１０は、主ロープ８の走行に連動して、互いに反対方向昇降する。
【００１５】
緩衝器１１は、つり合いおもり１０が通常の昇降範囲を超えて下方向に所定量降下した場合に、つり合いおもり１０の衝撃を吸収しつつ、つり合いおもり１０を受けるものである。
ここでは、３つのつり合いおもり用スペーサ２０がつり合いおもり１０の下部に高さ方向の連なるように固定されている。
なお、ランバイ寸法とは、かご９が最上階の乗場１２に着床した状態において、つり合いおもり１０に取り付けられているつり合いおもり用スペーサ２０のうち、最も下端に位置するつり合いおもり用スペーサ２０と緩衝器１１との間の距離Ｌである。
【００１６】
以下では、図２に示されるように、高さ方向に連結された３つのつり合いおもり２０のうち、つり合いおもり１０に直接取り付けられて最も上方に位置するものを、つり合いおもり用スペーサ２０ａとし、つり合いおもり用スペーサ２０ａの下方に隣接して連結されているものをつり合いおもり用スペーサ２０ｂとし、つり合いおもり用スペーサ２０ｂの下方に隣接して連結されているものをつり合いおもり用スペーサ２０ｃとする。
【００１７】
また、図２において、つり合いおもり１０は、つり合いおもり枠１０ａと、つり合いおもり枠１０ａに支持されるおもり本体１０ｂとを備えている。そして、つり合いおもり枠１０ａの下端が、つり合いおもり１０の下端を構成している。
なお、後述するように、つり合いおもり用スペーサ２０ｃは、４つのボルト固定用穴２２ａ及び２つの取付挿通穴２２ｂが形成された取付片２２Ａを有している。図示しないが、つり合いおもり１０の下部には、６つのネジ孔が、互いの間の配置関係を４つのボルト固定用穴２２ａ及び２つの取付挿通穴２２ｂの間の互いの配置関係と同様にして形成されている。
【００１８】
さらに、つり合いおもり１０をガイドするためのガイドレール１４が、昇降路２のピットの床に立設されて、高さ方向に延在している。さらに、つり合いおもり枠１０ａには、つり合いおもりガイドレール１４に係合して、つり合いおもり１０の移動をつり合いおもりガイドレール１４の延在方向のみに制限するガイド装置１５が設けられている。
【００１９】
次いで、つり合いおもり用スペーサ２０の詳細について説明する。
図３はこの発明の実施の形態１に係るつり合いおもり用スペーサの上面図、図４は図３のＢ方向から見た正面図、図５は図３のＣ方向から見た側面図である。
【００２０】
図２〜図５において、つり合いおもり用スペーサ２０は、基部２１と、基部２１の長手方向の両端から長手方向に垂直な方向に延出される取付片２２Ａとを備えている。
【００２１】
基部２１は、中空の円柱状に形成されている。なお、基部２１の軸方向を、基部２１の長手方向とする。
取付片２２Ａは、基部２１の軸方向の両端の外周両縁から径方向に延出され、言い換えれば、基部２１から基部２１の長手方向に垂直に延出され、その外形形状は、長方形となっている。
【００２２】
以下、取付片２２Ａの外形形状である長方形の長手方向及び短手方向を、取付片２２Ａの長手方向及び短手方向とする。
取付片２２Ａは、その長手方向及び短手方向の中心に、基部２１の軸心が交わるように基部２１の縁部から延出されている。
【００２３】
取付片２２Ａには、４つの角部近傍の部位に、ボルト固定用穴２２ａが形成されている。
また、各取付片２２Ａの長手方向の両側、かつ短手方向の中央近傍の部位には、取付挿通穴２２ｂが形成されている。
一方の取付片２２Ａに形成された取付挿通穴２２ｂと、他方の取付片に形成された取付挿通穴２２ｂは、互いに相対している。
【００２４】
取付挿通穴２２ｂは、後述のつり合いおもり用スペーサ取り付け装置３０を構成する吊り下げロープ３１を遊嵌状態に挿通可能な穴形状を有するとともに、当該吊り下げロープ３１が連結されるロープ固定具としての第２アイボルト３４を取り付けるために利用される。
即ち、取付挿通穴２２ｂは、第２アイボルト３４を取り付けるのに用いられる第１挿通部として機能するとともに、吊り下げロープ３１を遊嵌状態に挿通可能な第２挿通部としての機能を兼ねる。
【００２５】
そして、３つのつり合いおもり用スペーサ２０（２０ａ〜２０ｃ）は、以下に説明するように、つり合いおもり１０の下部に連結されている。
図２において、つり合いおもり用スペーサ２０ａは、基部２１の長手方向を高さ方向に一致させ、一方の取付片２２Ａを、つり合いおもり１０の下部の所定部位に押しあてて配置される。この取付片２２Ａに挿通した連結固定手段としてのボルト２５を、つり合いおもり１０の下端に締めつけることで、当該取付片２２Ａが、ボルト２５とつり合いおもり１０の下端にとの間に固定されている。
【００２６】
また、つり合いおもり用スペーサ２０ｂが、基部２１の長手方向を高さ方向に一致させ、一方の取付片２２Ａを、つり合いおもり用スペーサ２０ａの他方の取付片２２Ａに合わせて配置される。そして、ボルト２５が、合わせられた一対の取付片２２Ａのそれぞれのボルト固定用穴２２ａに挿通されており、ボルト２５とボルト２５に螺合されたナット２６との間に一対の取付片２２Ａを締め付けて、２つのつり合いおもり用スペーサ２０ａ，２０ｂが互いに連結されている。
【００２７】
さらに、つり合いおもり用スペーサ２０ｃが、同様に、つり合いおもり用スペーサ２０ｂにボルト２５及びナット２６を用いて連結されている。
【００２８】
次いで、つり合いおもり用スペーサ取り付け装置３０について説明する。
図６はこの発明の実施の形態１に係るつり合いおもり用スペーサ取り付け装置３０の構成を説明する図である。
【００２９】
図６において、つり合いおもり用スペーサ取り付け装置３０は、吊り下げロープ３１と、つり合いおもり１０に固定され、吊り下げロープ３１が掛けられる掛け部としての環状部３２ｂを有するロープ吊り具としての第１アイボルト３２と、吊り下げロープ３１が連結され、取付挿通穴２２ｂに挿入されて取付片２２Ａに配置されるロープ固定具としての第２アイボルト３４と、第２アイボルト３４を取付片２２Ａに着脱自在に固定することが可能な固定手段としてのナット３５とを備えている。
【００３０】
第１アイボルト３２は、軸部３２ａ、及び軸部３２ａの一端に一体に設けられる上述の環状部３２ｂを備えている。
第２アイボルト３４は、軸部３４ａ、及び軸部３４ａの一端に一体に設けられるロープ連結部としての環状部３４ｂとを備えている。
【００３１】
次いで、つり合いおもり用スペーサ取り付け装置３０を用いた、つり合いおもり用スペーサ２０のつり合いおもり１０への着脱方法について説明する。
図７はこの発明の実施の形態１に係るつり合いおもり用スペーサ取り付け装置を用いて、つり合いおもり用スペーサをつり合いおもりに着脱する方法を示す正面図であり、つり合いおもり用スペーサを引き上げている様子を示している。図８は図７のＤ方向から見た側面図である。図９はこの発明の実施の形態１に係るつり合いおもり用スペーサ取り付け装置を用いて、つり合いおもり用スペーサをつり合いおもりに着脱する方法を示す正面図であり、引き上げたつり合いおもり用スペーサを、先に取り付けたつり合いおもり用スペーサに連結した様子を示している。図１０は図９のＥ方向から見た側面図である。
【００３２】
以下、つり合いおもり１０の下端に、３つのつり合いおもり用スペーサ２０ａ〜２０ｃを高さ方向に連結する方法について説明する。
【００３３】
図７及び図８に示されるように、つり合いおもり用スペーサ２０ａは、以下のようにしてつり合いおも１０に取り付けられる。
即ち、作業者が、つり合いおもり用スペーサ２０ａを、つり合いおもり１０の下部への取り付け位置まで持ち上げて、一方の取付片２２Ａをつり合いおもり１０の下端に合わせ、当該取付片２２Ａに形成された各ボルト固定用穴２２ａにボルト２５を挿通させて、つり合いおもり１０の下部に形成されたネジ孔に締め付ける。これにより、当該取付片２２Ａがつり合いおもり１０に固定されて、つり合いおもり用スペーサ２０ａが、つり合いおもり１０に直接取り付けられる。
なお、説明の便宜上、図７では、ボルト２５の図示を省略している。
【００３４】
次いで、第１アイボルト３２の軸部３２ａを、つり合いおもり１０に固定された取付片２２Ａの取付挿通穴２２ｂに下方から挿通させて、つり合いおもり１０の下端に形成されたネジ孔に締め付ける。これにより、環状部３２ｂがつり合いおもり１０の直下に配置されるように、第１アイボルト３２がつり合いおもり１０の下端に固定される。
【００３５】
次いで、つり合いおもり用スペーサ２０ｂの一方及び他方の取付片２２Ａのうち、他方の取付片２２Ａに形成された一対の取付挿通穴２２ｂのそれぞれに、一対の第２アイボルト３４のそれぞれの軸部３４ａを基部２１側から挿通させる。さらに、ナット３５を軸部３４ａに螺合して、環状部３４ｂとナット３５との間に取付片２２Ａを締め付けて、第２アイボルト３４を、取付片２２Ａに固定する。
また、予め、一対の第２アイボルト３４のそれぞれの環状部３４ｂには、吊り下げロープ３１の一端を連結しておく。
【００３６】
次いで、一方の第２アイボルト３４に一端を連結された吊り下げロープ３１の他端を、つり合いおもり用スペーサ２０ｂの一方の取付片２２Ａに形成された一方の取付挿通穴２２ｂ、及びつり合いおもり用スペーサ２０ａの他方の取付片２２Ａに形成された一方の取付挿通穴２２ｂに挿通させ、さらに、一方の第１アイボルト３２の環状部３２ｂに掛けて、吊り下げロープ３１の他端側を引き出す。
【００３７】
同様に、他方の第２アイボルト３４に連結された吊り下げロープ３１の他端を、つり合いおもり用スペーサ２０ｂの一方の取付片２２Ａに形成された他方の取付挿通穴２２ｂ、及びつり合いおもり用スペーサ２０ａの他方の取付片２２Ａに形成された他方の取付挿通穴２２ｂに挿通させ、さらに、他方の第１アイボルト３２の環状部３２ｂに掛けて、環状部３２ｂから吊り下げロープ３１の他端側を引き出す。
【００３８】
次いで、作業者は、一対の第１アイボルト３２のそれぞれの環状部３２ｂから引き出した一対の吊り下げロープ３１のそれぞれの他端側を把持し、下方に引っ張る。
吊り下げロープ３１の他端側を引っ張る力は、第１アイボルト３２の環状部３２ｂに支持される吊り下げロープ３１の部位を支点として、第１アイボルト３２を介して吊り下げロープ３１の一端に連結されたつり合いおもり用スペーサ２０ｂを引き上げる方向の力としてつり合いおもり用スペーサ２０ｂに伝達される。
【００３９】
このとき、第１アイボルト３２から見て、つり合いおもり用スペーサ２０ｂ側に位置する吊り下げロープ３１の部位は、第１アイボルト３２の環状部３２ｂから鉛直下方に延在する。そして、一方の吊り下げロープ３１が挿通される複数の取付片２２Ａの取付挿通穴２２ｂが、鉛直方向に互い相対するように位置し、また、他方の吊り下げロープ３１が挿通される複数の取付片２２Ａの取付挿通穴２２ｂも鉛直方向に互いに相対するように位置する。
【００４０】
さらに、吊り下げロープ３１の他端側を引っ張ると、つり合いおもり用スペーサ２０ｂが、つり合いおもり用スペーサ２０ａの他方の取付片２２Ａの位置まで持ち上げられ、図９及び図１０に示されるように、つり合いおもり用スペーサ２０ａの他方の取付片２２Ａにつり合いおもり用スペーサ２０ｂの一方の取付片２２Ａが合わせられる。
【００４１】
この状態で、作業者は、吊り下げロープ３１の他端を、昇降路２内の図示しない固定部に固定し、吊り下げロープ３１の緊張状態を維持する。つまり、つり合いおもり用スペーサ２０ｂの他方の取付片２２Ａとつり合いおもり用スペーサ２０ａの一方の取付片２２Ａが互いに合わせられた状態を維持する。
【００４２】
次いで、互いに合わせられた取付挿通穴２２ｂに、ボルト２５を挿入した後、ナット２６を螺合し、ボルト２５とナット２６との間に、つり合いおもり用スペーサ２０ａの他方の取付片２２Ａ及びつり合いおもり用スペーサ２０ｂの一方の取付片２２Ａを締め付け固定する。
このとき、第２アイボルト３４は、つり合いおもり用スペーサ２０ｂの取付片２２Ａのうち、下方に位置する取付片２２Ａに取り付けられ、上方に配置された取付片２２Ａが、つり合いおもり用スペーサ２０ａの取付片２２Ａに合わせられるので、第２アイボルト３４が、つり合いおもり用スペーサ２０ａ，２０ｂの連結作業に邪魔になることはない。
【００４３】
以上により、２つのつり合いおもり用スペーサ２０ａ，２０ｂが連結固定される。
【００４４】
次いで、３つめのつり合いおもり用スペーサ２０ｃの取り付け方法について説明する。
第２アイボルト３４を、つり合いおもり用スペーサ２０ｂから取り外し、各吊り下げロープ３１を取付挿通穴２２ｂから引き抜く。
次いで、つり合いおもり用スペーサ２０ｃの一方及び他方の取付片２２Ａのうち、他方の取付片２２Ａの各取付挿通穴２２ｂに、第２アイボルト３４の軸部３４ａを基部２１側から挿入させる。さらに、ナット３５を軸部３４ａに螺合して、環状部３４ｂとナット３５との間に取付片２２Ａを締め付けて、第２アイボルト３４を、取付片２２Ａに固定する。
【００４５】
これにより、つり合いおもり用スペーサ２０ｂから取り外した各第２アイボルト３４が、つり合いおもり用スペーサ２０ｃに固定される。
なお、一対の吊り下げロープ３１のそれぞれは、一対の第２アイボルト３４のそれぞれの環状部３４ｂに連結させたままである。
【００４６】
次いで、一方の第２アイボルト３４に連結された吊り下げロープ３１の他端を、つり合いおもり用スペーサ２０ｃの一方の取付片２２Ａに形成された一方の取付挿通穴２２ｂ、つり合いおもり用スペーサ２０ｂの一対の取付片２２Ａのそれぞれに形成された一方の取付挿通穴２２ｂ、及びつり合いおもり用スペーサ２０ａの他方の取付片２２Ａに形成された一方の取付挿通穴２２ｂに挿通させる。さらに、吊り下げロープ３１を、一方の第１アイボルト３２の環状部３２ｂに挿通させて、環状部３２ｂから吊り下げロープ３１の他端側を引き出す。
【００４７】
同様に、他方の第２アイボルト３４に連結された吊り下げロープ３１の他端を、つり合いおもり用スペーサ２０ｃの一方の取付片２２Ａに形成された他方の取付挿通穴２２ｂ、つり合いおもり用スペーサ２０ｂの一対の取付片２２Ａのそれぞれに形成された他方の取付挿通穴２２ｂ、及びつり合いおもり用スペーサ２０ａの他方の取付片２２Ａに形成された他方の取付挿通穴２２ｂに挿通させる。さらに、吊り下げロープ３１を、他方の第１アイボルト３２の環状部３２ｂに挿通させて、環状部３２ｂから吊り下げロープ３１の他端側を引き出す。
【００４８】
以降のつり合いおもりスペーサ２０ｃのつり合いおもり用スペーサ２０ｂへの取り付け手順は、つり合いおもり用スペーサ２０ｂをつり合いおもり用スペーサ２０ａに取り付けた手順と同様である。
【００４９】
なお、ここでは、３つのつり合いおもり用スペーサ２０ａ〜２０ｃを連結するものとして説明したが、ランバイ寸法が基準範囲に収まるように、つり合いおもり用スペーサの連結数を適宜決定すればよい。
【００５０】
つり合いおもり用スペーサ２０ｂのつり合いおもり用スペーサ２０ｃへの取り付けが終了したら、第１アイボルト３２及び第２アイボルト３４と、吊り下げロープ３１を撤去することで、つり合いおもり用スペーサの取り付け作業が完了する。
以上により、図２に示されるように、３つのつり合いおもり用スペーサ２０ａ〜２０ｃが、つり合いおもり１０に連結固定される。
【００５１】
また、つり合いおもり用スペーサ２０ａ〜２０ｃを外す必要がある場合には、最も下方に配置されるつり合いおもり用スペーサ２０ｃから必要に応じて順に取り外される。
【００５２】
保守作業などにより、つり合いおもり用スペーサ２０ｃを取り外す際は、第１アイボルト３２を、つり合いおもり１０に当てられたつり合いおもり用スペーサ２０ａの上側の（一方の）取付片２２Ａの取付挿通穴２２ｂに挿通してつり合いおもり１０に固定する。さらに、第２アイボルト３４を最も下方に位置するつり合いおもり用のスペーサ２０ｃの下側（他方）の取付片２２Ａに、取付挿通穴２２ｂに挿通した後、ナット３５を用いて固定する。また、吊り下げロープ３１を、第２アイボルト３４の上方に位置する各取付挿通穴２２ｂに挿通し、さらに、第１アイボルト３２の環状部３２ｂに掛けて、下方に引き出す。そして、下側に引き出した吊り下げロープ３１の他端側を緊張状態にして固定する。
【００５３】
この状態で、作業者は、最も下側に連結されている２つのつり合いおもり用スペーサ２０ｂ，２０ｃを連結しているボルト２５及びナット２６を取り外すことで、最も下方に配置されたつり合いおもり用スペーサ２０ｃが、残りのつり合いおもり用スペーサ２０ａ，２０ｂから分離される。
【００５４】
そして、吊り下げロープ３１の他端側の固定を解除して、分離したつり合いおもり用スペーサ２０ｃが、下方に移動されるように徐々に吊り下げロープ３１を繰り出すことで、つり合いおもり用スペーサ２０ｃの取り外しが完了する。
なお、ランバイ寸法が、基準範囲に収まるように、必要なだけ、つり合いおもり用スペーサを取り外せばよい。
【００５５】
この実施の形態１に係るつり合いおもり用スペーサは、基部２１と、基部２１の長手方向の両端から長手方向に垂直な方向に延出される取付片２２Ａとを備え、取付片２２Ａには、吊り下げロープ３１が連結されるロープ固定具としての第２アイボルト３４を取り付けるための第１挿通部としての取付挿通穴２２ｂが形成されている。
【００５６】
つり合いおもり用スペーサ２０が以上の構成を有するので、第２アイボルト３４をつり合いおもり用スペーサ２０に取り付け、第２アイボルト３４から延在する吊り下げロープ３１を、例えば、つり合いおもり１０に固定された第１アイボルト３２に掛けた後、下方に引き出し、引き出した吊り下げロープ３１を引っ張ることで、つり合いおもり用スペーサ２０を引き上げることが可能になる。
【００５７】
作業者は、つり合いおもり用スペーサ２０を、所望する取り付け位置まで、例えば、自身の体重を吊り下げロープ３１にかけるなどして、つり合いおもり用スペーサ２０を引き上げることが可能になるので、つり合いおもり用スペーサ２０の取り付け作業にかかる労力を著しく軽減できる。
【００５８】
また、取付挿通穴２２ｂは、吊り下げロープ３１を通すための第２挿通部２２ｂを兼ねている。
吊り下げロープ３１を、第２アイボルト３４を固定した取付片２２Ａの上方に配置される第２挿通部としての第２挿通部２２ｂに通すことで、つり合いおもり用スペーサ２０ｂ，２０ｃを、吊り下げロープ３１を引っ張って持ち上げる際に、つり合いおもり用スペーサ２０ｂ，２０ｃが吊り下げロープ３１にガイドされて安定する。
また、取付挿通穴２２ｂが、吊り下げロープ３１を通すための第２挿通部としての機能を兼ねることで、第１挿通部と第２挿通部とを別々に設けるものに比べて取付片２２Ａの加工コストを削減できる。
【００５９】
また、各取付片２２Ａには、第１挿通部及び第２挿通部としての取付挿通穴２２ｂが、基部２１の長手方向から見て、互いの間に基部２１が配置される位置に一対設けられている。
【００６０】
よって、つり合いおもり用スペーサ２０ｂ，２０ｃを引き上げる際に、基部２１の長手方向が鉛直方向におおよそ一致するように、引き上げるつり合いおもり用スペーサ２０ｂ，２０ｃが自然と向けられるので、吊り下げロープ３１のまわりにつり合いおもり用スペーサ２０ｂ，２０ｃが回転したり、つり合いおもり用スペーサ２０ｂ，２０ｃが、所望する基本姿勢から、傾いたりすることが、規制され、安定した状態でつり合いおもり用スペーサ２０ｂ，２０ｃを引き上げることができる。
【００６１】
なお、上記実施の形態１では、ロープ吊り具としての第１アイボルト３２は、取付挿通穴２２ｂに挿通されてつり合いおもり１０に固定されるものとして説明したが、つり合いおもり用スペーサ２０の取り付け位置とは異なるつり合いおもり１０の下端部の部位に固定してもよい。
この場合、直接つり合いおもりに取り付けられるつり合いおもり用スペーサ２０ａをつり合いおもり１０の下端に取り付ける際に、第１アイボルト３２が邪魔になることはなく、この場合には、つり合いおもり用スペーサ２０ａも、つり合いおもり用スペーサ取り付け装置３０を用いてつり合いおもり１０への取り付け位置まで引き上げることができる。
【００６２】
但し、第１アイボルト３２を、取付挿通穴２２ｂに挿通して、つり合いおもり１０に固定する場合、次に取り付けられるつり合いおもり用スペーサ２０を、つり合いおもり用スペーサ取り付け装置３０を用いてつり合いおもり１０への取り付け位置まで引き上げると場合、第１アイボルト３２の環状部３２ｂから引き出された吊り下げロープ３１を引っ張るだけで、略所望する位置に、つり合いおもり用スペーサ２０を引き上げることができる。
【００６３】
また、取付挿通穴２２ｂは、第１挿通部のみの機能を有するものでもよく、第２挿通部は必ずしも設けるものに限定されない。即ち、取付対象のつり合いおもり用スペーサ２０に固定した第２アイボルト３４に連結された吊り下げロープ３１を、第１アイボルト３２の環状部３２ｂに掛けて引き上げるだけでも、つり合いおもり用スペーサ２０を引き上げるのに要する労力を十分に軽減できる。
【００６４】
なお、通常、エレベータ１の新規設置時に、ランバイ寸法の調整が終了したときには、複数のつり合いおもり調整用スペーサ２０ａ〜２０ｃが取り付けられており、後からランバイ寸法を調整する際に、つり合いおもり１０に直接とりつけるつり合いおもり用スペーサ２０ａまで、取り外すことは少なく、保守点検時には、つり合いおもり用スペーサ２０ｂ，２０ｃを着脱して、ランバイ寸法を調整することが多い。このため、仮に、つり合いおもり用スペーサ２０ａを、最初に作業者が把持して直接持ちあげて取り付けたとしても、後に行わる保守作業において、つり合いおもり用スペーサ２０ｂ，２０ｃの上げ下げに要する労力を軽減する効果が得られる。
【００６５】
また、上記のように、つり合いおもり用スペーサ２０ｂ，２０ｃの取り付ける方法において、２つ目のつり合いおもり用スペーサ２０ｂを取り付けた後、新たにつり合いおもり用スペーサ２０ｃを取り付ける際、第２アイボルト３４をつり合いおもり用スペーサ２０ｂから取り外し、吊り下げロープ３１を各取付挿通穴２２ｂから一旦引き抜くものとして説明した。
【００６６】
しかしながら、吊り下げロープ３１を、第２アイボルト３４への連結解除が可能に第２アイボルト３４への連結しておくことで、以下のように、吊り下げロープ３１を各取付挿通穴２２ｂから一旦引き抜く必要がなくなる。
即ち、つり合いおもり用スペーサ２０ｂの取り付けを終了した後、第２アイボルト３４をつり合いおもり用スペーサ２０ｂから取り外すとともに、吊り下げロープ３１を第２アイボルト３４から外し、第２アイボルト３４を次に取り付けるつり合いおもり用スペーサ２０ｃの他方の取付片２２Ａに取り付ける。そして、吊り下げロープ３１を、次に取り付けるつり合いおもり用スペーサ２０ｃの一方の取付片２２Ａに挿通した後、第２アイボルト３４に再度連結させてもよい。
【００６７】
また、第１挿通部及び第２挿通部としての取付挿通穴２２ｂは、各取付片２２Ａに一対設けるものとして説明したが、取付挿通穴２２ｂは、各取付片２２Ａに一対設けるものに限定されず、１つであったり、一対以外の数を設けたりしてもよい。
【００６８】
実施の形態２．
図１１はこの発明の実施の形態２に係るつり合いおもり用スペーサの上面図である。
【００６９】
図１１において、つり合いおもり用スペーサ２０は、取付片２２Ａに代え取付片２２Ｂを有する他は、上記実施の形態１と同様に構成されている。
【００７０】
取付片２２Ｂは、取付挿通穴２２ｂに代え、第１挿通部及び第２挿通部としての切り欠き２２ｃが形成されている他は、取付片２２Ａと同様である。
切り欠き２２ｃは、取付片２２Ｂの一対の短辺縁部のそれぞれに開口し、取付片２２Ｂの長手方向に所定の深さを有している。
【００７１】
この実施の形態２のつり合いおもり用スペーサ２０のつり合いおもりへの取り付け方法は、以下の点を除いて上記実施の形態１と略同様である。
ここで、この実施の形態２でも、実施の形態１と同様、取付片２２Ｂを有するつり合いおもり用スペーサ２０を３つ取り付けるものとする。説明の便宜上、これらの３つのつり合いおもり用スペーサ２０を、つり合いおもり用スペーサ２０ａ〜２０ｃとし、図２と同じ図を用いて説明する。
【００７２】
実施の形態１では、吊り下げロープ３１の端部を取付挿通穴２２ｂに通していたが、この実施の形態２では、つり合いおもり用ロープ２０ｂを取り付ける際に、第２アイボルト３４に予め連結されて第２アイボルトから連結する吊り下げロープ３１の長手方向の適当な部位を、切り欠き２２ｃの開口から、挿入することで、吊り下げロープ３１を切り欠き２２ｃに挿通した状態とする。
【００７３】
また、上記実施の形態１では、つり合いおもり用スペーサ取り付け装置３０を用いてつり合いおもり２０ｂ，２０ｃをつり合いおもり１０に取り付ける場合、つり合いおもり２０ｂの取付完了後に、吊り下げロープ３１を、一旦、取付挿通穴２２ｂから抜く、またはつり下げロープと第２アイボルト３４との連結を解除する必要があった。
【００７４】
この実施の形態２では、新たにつり合いおもり用スペーサ２０ｃを取り付ける場合、第２アイボルト３４をつり合いおもりスペーサ２０ｂから取り外せば、吊り下げロープ３１を切り欠き２２ｃの開口側にずらして、切り欠き２２ｃから外すことで、吊り下げロープ３１の切り欠き２２ｃへの挿通状態を解除できる。
【００７５】
さらに、続くつり合いおもり用ロープ２０ｃの取り付け作業では、取り外した第２アイボルト３４をつり合いおもり用ロープ２０ｃの他方の取付片２０ｃに取り付ける。そして、第２アイボルト３４から延在する吊り下げロープ３１の長手方向の適当な部位を、つり合いおもり用スペーサ２０ｂの一方の取付片２２Ｂの切り欠き２２ｃ、及びつり合いおもり用スペーサ２０ｂの他方の取付片２２Ｂの切り欠き２２ｃの開口から挿入して、吊り下げロープ３１を切り欠き２２ｃに挿通した状態にする。
【００７６】
他のつり合いおもり用スペーサ２０ｂ，２０ｃの取り付け方法は、上記実施の形態１と同様である。
【００７７】
従って、この実施の形態２によれば、吊り下げロープ３１を、用意に切り欠き２２ｃに挿通することができるので、実施の形態１の効果に加え、つり合いおもり用スペーサ２０ｂ，２０ｃを着脱する際の作業効率を向上させることができる。
【００７８】
実施の形態３．
図１２はこの発明の実施の形態３に係るつり合いおもり用スペーサの上面図である。
【００７９】
図１２において、つり合いおもり用スペーサ２０は、取付片２２Ａに代え取付片２２Ｃを有する他は、上記実施の形態１と同様に構成されている。
【００８０】
取付片２２Ｃは、取付挿通穴２２ｂに代え、切り欠き２２ｄを有している他は取付片２２Ａと同様に構成されている。
【００８１】
切り欠き２２ｄは、取付片２２Ｃの一対の短辺縁部のそれぞれに開口し、所定の幅で、取付片２２Ｃの長手方向に所定の深さを有する第１切り欠き部２２ｅと、第１切り欠き部２２ｅの底部側から延在して、吊り下げロープ３１を遊嵌状態に挿通させることが可能の幅を有する第２切り欠き部２２ｆとを備えている。
第１切り欠き部２２ｅは、吊り下げロープ３１を摺接させつつ長手方向にスライド可能な幅を有している。
【００８２】
この実施の形態３のつり合いおもり用スペーサ２０のつり合いおもりへの着脱方法は、新たにつり合いおもりスペーサ２０ｃを取り付ける際、以下の点を除いて上記実施の形態２と略同様である。
但し、吊り下げロープ３１を、切り欠き２２ｄに挿通する作業は、第１切り欠き部２２ｅに開口側から挿入してスライド移動させた後、さらに、第２切り欠き部２２ｆに移動して行われる。
【００８３】
そして、吊り下げロープ３１を切り欠き２２ｄから外す際には、第２切り欠き部２２ｆから、第１切り欠き部２２ｅに移動させ、第１切り欠き部２２ｅの壁面に吊り下げロープ３１を摺接させつつ、第１切り欠き部２２ｅの開口から外している。
【００８４】
他のつり合いおもり用スペーサ２０ｂ，２０ｃの着脱方法は、上記実施の形態１と同様である。
【００８５】
この実施の形態３によれば、第２切り欠き部２２ｆに挿通されている吊り下げロープ３１を、切り欠き２２ｄから外すには、第１切り欠き部２２ｅの壁面を摺接させてスライド移動させる必要があり、意図せず、吊り下げロープ３１が、切り欠き２２ｄから外れることが防止される。即ち、例えば、つり合いおもり用スペーサ２０を吊り下げロープ３１に吊り下げて、引き上げている時に、吊り下げロープ３１が、切り欠き２２ｄから外れると、つり合いおもり用スペーサ２０が所定の姿勢に対して大きく傾斜してしまう。この実施の形態３のつり合いおもり用スペーサ２０によれば、吊り下げロープ３１の切り欠き２２ｅから外れることが防止されるので、所望の姿勢を保ったまま、つり合いおもり用スペーサ２０を連結する対象となるつり合いおもりスペーサ２０の位置まで引き上げることができるので、つり合いおもりスペーサ２０（２０ａ〜２０ｃ）をつり合いおもり１０に取り付ける際の作業効率を向上させることができる。
【符号の説明】
【００８６】
１  エレベータ、８  主ロープ、１０  つり合いおもり、１１  緩衝器、２０（２０ａ〜２０ｃ）  つり合いおもり用スペーサ、２１  基部、２２Ａ〜２２Ｃ  取付片、２２ｂ取付挿通穴（第１挿通部、第２挿通部）、２２ｃ，２２ｄ  切り欠き（第１挿通部、第２挿通部）、２２ｅ  第１切り欠き部、２２ｆ  第２切り欠き部、３０  つり合いおもり用スペーサ取り付け装置、３１  吊り下げロープ、３２  第１アイボルト（ロープ吊り具）、３４  第２アイボルト（ロープ固定具）。
【図１】
0005791421.tif 000002
【図２】
0005791421.tif 000003
【図３】
0005791421.tif 000004
【図４】
0005791421.tif 000005
【図５】
0005791421.tif 000006
【図６】
0005791421.tif 000007
【図７】
0005791421.tif 000008
【図８】
0005791421.tif 000009
【図９】
0005791421.tif 000010
【図１０】
0005791421.tif 000011
【図１１】
0005791421.tif 000012
【図１２】
0005791421.tif 000013